【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
ソーシャルネットワークサービスと連携する管理システムであって、
前記ソーシャルネットワークサービスを利用するユーザーに対し、アカウント情報、ユーザーの生体情報に関連づけられた識別情報、及び当該生体情報を当該ユーザーの端末側で登録する際に生成された公開鍵を関連づけて管理する管理手段と、
ユーザーによる別のユーザーに対する送金に係る指示に従い、当該ユーザーの端末に、認証処理の要求を送信する要求手段と、
前記要求手段による前記要求の応答として、前記ユーザーの生体情報を用いた認証処理が当該ユーザーの端末側で成功したことにより、当該端末内の耐タンパー性を備える記憶手段で当該生体情報に関連づけられて保持されている秘密鍵を用いて作成される署名データと、当該生体情報に関連づけられた識別情報とを、受信する受信手段と、
前記受信手段にて受信した署名データを、前記受信手段にて受信した識別情報に対応する、前記管理手段にて管理している公開鍵を用いて検証する検証手段と、を有し、
前記検証手段の検証の成功に応じて前記ユーザーの送金に係る指示に基づく送金処理が実行された場合に、送金結果に関するメッセージが生成され、当該生成された前記送金結果に関するメッセージが前記ソーシャルネットワークサービスを介して前記ユーザーに提供されることを特徴とする管理システム。
【請求項２】
前記送金に係る指示は、送金の指示、および送金依頼の指示を含むことを特徴とする請求項１に記載の管理システム。
【請求項３】
前記要求手段は、前記ユーザーによる送金に係る指示としての別のユーザーに対する送金依頼の指示に従い、当該ユーザーの端末に認証処理の第１要求を送信し、
前記第１要求の応答として受信した署名データに対する前記公開鍵を用いた検証の成功に応じて生成された送金依頼に関するメッセージが、前記ソーシャルネットワークサービスを介して前記別のユーザーに提供され、
前記要求手段は、さらに、前記別のユーザーによる送金の指示に従い、当該別のユーザーの端末に認証処理の第２要求を送信し、
前記受信手段は、前記要求手段による前記第２要求の応答として、前記別のユーザーの生体情報を用いた認証処理が当該別のユーザーの端末側で成功したことにより、当該端末内の耐タンパー性を備える記憶手段で当該生体情報に関連づけられて保持されている秘密鍵を用いて作成される署名データと、当該生体情報に関連づけられた識別情報とを受信し、
前記検証手段は、前記第２要求の応答として受信した署名データを、前記第２要求の応答として受信した識別情報に対応する、前記管理手段にて管理している公開鍵を用いて検証し、
前記第２要求の応答として受信した署名データに対する前記公開鍵を用いた検証の成功に応じて実行された送金処理による送金結果に関するメッセージが、前記ソーシャルネットワークサービスを介して前記別のユーザーに提供される、
ことを特徴とする請求項１に記載の管理システム。
【請求項４】
ユーザーの送金に係る指示を受け付ける際に、当該ユーザーの顔画像を、前記ユーザーの端末を介して取得する手段を更に有し、
前記送金結果に関するメッセージには、前記顔画像が含まれることを特徴とする請求項１乃至３のいずれか一項に記載の管理システム。
【請求項５】
前記送金に係る指示を受け付ける際に、ユーザーの生体情報を用いた認証処理とは異なる第２の認証処理により認証が可能であることを特徴とする請求項１乃至４のいずれか一項に記載の管理システム。
【請求項６】
前記第２の認証処理は、パスワードを用いた認証処理であることを特徴とする請求項５に記載の管理システム。
【請求項７】
前記送金に係る指示において、送金の閾値を設定する設定手段を更に有し、
前記閾値を超える金額に対する指示が行われた場合、前記第２の認証処理による認証が禁止されるように制御されることを特徴とする請求項５または６に記載の管理システム。
【請求項８】
ユーザーの端末内の耐タンパー性を有する前記記憶手段では、前記秘密鍵に加えて、当該秘密鍵に対応する当該ユーザーの生体情報が保持されることを特徴とする請求項１乃至７のいずれか一項に記載の管理システム。
【請求項９】
前記ユーザーの送金に係る指示に基づく送金処理に応じて該送金処理に関するメッセージが生成され、当該生成された前記送金処理に関するメッセージが、前記ソーシャルネットワークサービスを介して前記別のユーザーに提供されることを特徴とする請求項１乃至８のいずれか一項に記載の管理システム。
【請求項１０】
前記別のユーザーに提供される前記送金処理に関するメッセージには、本人確認が行われていることを示す情報が含まれることを特徴とする請求項９に記載の管理システム。
【請求項１１】
ソーシャルネットワークサービスと連携する管理システムにおける制御方法であって、
前記管理システムは、前記ソーシャルネットワークサービスを利用するユーザーに対し、アカウント情報、ユーザーの生体情報に関連づけられた識別情報、及び当該生体情報を当該ユーザーの端末側で登録する際に生成された公開鍵を関連づけて管理する管理手段を備え、
前記制御方法は、
ユーザーによる別のユーザーに対する送金に係る指示に従い、当該ユーザーの端末に、認証処理の要求を送信する要求工程と、
前記要求工程での前記要求の応答として、前記ユーザーの生体情報を用いた認証処理が当該ユーザーの端末側で成功したことにより、当該端末内の耐タンパー性を備える記憶手段で当該生体情報に関連づけられて保持されている秘密鍵を用いて作成される署名データと、当該生体情報に関連づけられた識別情報とを、受信する受信工程と、
前記受信工程で受信した前記署名データを、前記受信工程で受信した前記識別情報に対応する、前記管理手段にて管理している公開鍵を用いて検証する検証工程と、を有し、
検証工程での検証の成功に応じて前記ユーザーの送金に係る指示に基づく送金処理が実行された場合に、送金結果に関するメッセージが生成され、当該生成された前記送金結果に関するメッセージが前記ソーシャルネットワークサービスを介して前記ユーザーに提供されることを特徴とする制御方法。
【請求項１２】
前記送金に係る指示は、送金の指示、および送金依頼の指示を含むことを特徴とする請求項１１に記載の制御方法。
【請求項１３】
ユーザーの送金に係る指示を受け付ける際に、当該ユーザーの顔画像を、前記ユーザーの端末を介して取得する工程を更に有し、
前記送金結果に関するメッセージには、前記顔画像が含まれることを特徴とする請求項１１または１２に記載の制御方法。
【請求項１４】
前記送金に係る指示を受け付ける際に、ユーザーの生体情報を用いた認証処理とは異なる第２の認証処理により認証が可能であることを特徴とする請求項１１乃至１３のいずれか一項に記載の制御方法。
【請求項１５】
前記第２の認証処理は、パスワードを用いた認証処理であることを特徴とする請求項１４に記載の制御方法。
【請求項１６】
前記送金に係る指示において、送金の閾値を設定する設定工程を更に有し、
前記閾値を超える金額に対する指示が行われた場合、前記第２の認証処理による認証が禁止されるように制御されることを特徴とする請求項１４または１５に記載の制御方法。
【請求項１７】
ユーザーの端末内の耐タンパー性を有する前記記憶手段では、前記秘密鍵に加えて、当該秘密鍵に対応する当該ユーザーの生体情報が保持されることを特徴とする請求項１１乃至１６のいずれか一項に記載の制御方法。
【請求項１８】
前記ユーザーの送金に係る指示に基づく送金処理に応じて該送金処理に関するメッセージが生成され、当該生成された前記送金処理に関するメッセージが、前記ソーシャルネットワークサービスを介して前記別のユーザーに提供されることを特徴とする請求項１１乃至１７のいずれか一項に記載の制御方法。
【請求項１９】
前記別のユーザーに提供される前記送金処理に関するメッセージには、本人確認が行われていることを示す情報が含まれることを特徴とする請求項１８に記載の制御方法。
【請求項２０】
ソーシャルネットワークサービスを利用するためのアプリケーションを実行する端末であって、
前記端末のユーザーによる別のユーザーに対する送金に係る指示を実行する指示手段と、
前記ソーシャルネットワークサービスを利用するユーザーに対し、アカウント情報、該ユーザーの生体情報に関連づけられた識別情報、及び当該生体情報を前記端末内に登録する際に生成された公開鍵を関連づけて管理する管理システムから、前記送金に係る指示に応じた、認証処理の要求を受信する受信手段と、
前記要求の応答として、前記端末で前記ユーザーの生体情報を用いた認証処理が成功したことにより、当該端末内の耐タンパー性を備える記憶手段で当該生体情報に関連づけられて保持されている秘密鍵を用いて作成される署名データと、当該生体情報に関連づけられた識別情報とを、前記管理システムに対して送信する送信手段と、
前記管理システムで管理された前記識別情報に対応する前記公開鍵を用いて前記署名データが検証できたことに応じて前記送金に係る指示に基づく送金処理が実行された場合に、前記ソーシャルネットワークサービスを介して提供される送金結果に関するメッセージを表示する表示手段と、
を有することを特徴とする端末。
【請求項２１】
前記送金に係る指示は、送金の指示、および送金依頼の指示を含むことを特徴とする請求項２０に記載の端末。
【請求項２２】
ユーザーの送金に係る指示を受け付ける際に、当該ユーザーの顔画像を取得する手段を更に有し、
前記送金結果に関するメッセージには、前記顔画像が含まれることを特徴とする請求項２０または２１に記載の端末。
【請求項２３】
前記送金に係る指示を受け付ける際に、ユーザーの生体情報を用いた認証処理とは異なる第２の認証処理により認証が可能であることを特徴とする請求項２０乃至２２のいずれか一項に記載の端末。
【請求項２４】
前記第２の認証処理は、パスワードを用いた認証処理であることを特徴とする請求項２３に記載の端末。
【請求項２５】
前記記憶手段では、前記秘密鍵に加えて、当該秘密鍵に対応する当該ユーザーの生体情報が保持されることを特徴とする請求項２０乃至２４のいずれか一項に記載の端末。
【請求項２６】
端末で実行されるソーシャルネットワークサービスを利用するためのアプリケーションに基づく制御方法であって、
前記端末のユーザーによる別のユーザーに対する送金に係る指示を実行する指示工程と、
前記ソーシャルネットワークサービスを利用するユーザーに対し、アカウント情報、該ユーザーの生体情報に関連づけられた識別情報、及び当該生体情報を前記端末内に登録する際に生成された公開鍵を関連づけて管理する管理システムから、前記送金に係る指示に応じた、認証処理の要求を受信する受信工程と、
前記要求の応答として、前記端末で前記ユーザーの生体情報を用いた認証処理が成功したことにより、当該端末内の耐タンパー性を備える記憶手段で当該生体情報に関連づけられて保持されている秘密鍵を用いて作成される署名データと、当該生体情報に関連づけられた識別情報とを、前記管理システムに対して送信する送信工程と、
前記管理システムで管理された前記識別情報に対応する前記公開鍵を用いて前記署名データが検証できたことに応じて前記送金に係る指示に基づく送金処理が実行された場合に、前記ソーシャルネットワークサービスを介して提供される送金結果に関するメッセージを表示する表示工程と、
を有することを特徴とする制御方法。
【請求項２７】
コンピューターとしての端末で実行されるソーシャルネットワークサービスを利用するためのプログラムであって、
前記端末のユーザーによる別のユーザーに対する送金に係る指示を実行する指示手段と、
前記ソーシャルネットワークサービスを利用するユーザーに対し、アカウント情報、該ユーザーの生体情報に関連づけられた識別情報、及び当該生体情報を前記端末内に登録する際に生成された公開鍵を関連づけて管理する管理システムから、前記送金に係る指示に応じた、認証処理の要求を受信する受信手段と、
前記要求の応答として、前記端末で前記ユーザーの生体情報を用いた認証処理が成功したことにより、当該端末内の耐タンパー性を備える記憶手段で当該生体情報に関連づけられて保持されている秘密鍵を用いて作成される署名データと、当該生体情報に関連づけられた識別情報とを、前記管理システムに対して送信する送信手段と、
前記管理システムで管理された前記識別情報に対応する前記公開鍵を用いて前記署名データが検証できたことに応じて前記送金に係る指示に基づく送金処理が実行された場合に、前記ソーシャルネットワークサービスを介して提供される送金結果に関するメッセージを表示する表示手段、
として前記コンピューターを機能させるためのプログラム。
【手続補正２】
【補正対象書類名】明細書
【補正対象項目名】発明の名称
【補正方法】変更
【補正の内容】
【発明の名称】管理システム、端末、制御方法、およびプログラム
【手続補正３】
【補正対象書類名】明細書
【補正対象項目名】０００１
【補正方法】変更
【補正の内容】
【０００１】
本発明は、管理システム、端末、制御方法、およびプログラムに関する。
【手続補正４】
【補正対象書類名】明細書
【補正対象項目名】０００７
【補正方法】変更
【補正の内容】
【０００７】
上記課題を解決するために本願発明は以下の構成を有する。すなわち、ソーシャルネットワークサービスと連携する管理システムであって、前記ソーシャルネットワークサービスを利用するユーザーに対し、アカウント情報、ユーザーの生体情報に関連づけられた識別情報、及び当該生体情報を当該ユーザーの端末側で登録する際に生成された公開鍵を関連づけて管理する管理手段と、ユーザーによる別のユーザーに対する送金に係る指示に従い、当該ユーザーの端末に、認証処理の要求を送信する要求手段と、前記要求手段による前記要求の応答として、前記ユーザーの生体情報を用いた認証処理が当該ユーザーの端末側で成功したことにより、当該端末内の耐タンパー性を備える記憶手段で当該生体情報に関連づけられて保持されている秘密鍵を用いて作成される署名データと、当該生体情報に関連づけられた識別情報とを、受信する受信手段と、前記受信手段にて受信した署名データを、前記受信手段にて受信した識別情報に対応する、前記管理手段にて管理している公開鍵を用いて検証する検証手段と、を有し、前記検証手段の検証の成功に応じて前記ユーザーの送金に係る指示に基づく送金処理が実行された場合に、送金結果に関するメッセージが生成され、当該生成された前記送金結果に関するメッセージが前記ソーシャルネットワークサービスを介して前記ユーザーに提供される。